(57)【要約】      （修正有）【課題】故人に宛てたメッセージや、神社、仏閣等に奉納する祈願メッセージの秘密性を保持することができるメッセージカードを提供する。【解決手段】折り曲げ線２に沿って二つ折り可能に形成したメッセージカード１であって、該メッセージカード１の内側面１ａには、メッセージを記入するメッセージ記入欄３を設けてあると共に、前記折り曲げ線２に対向する端部の一方に接着剤層を設け、該接着剤層を覆って剥離紙６を貼付してある。【選択図】図１
0003132998.tif 000002
【実用新案登録請求の範囲】
【請求項１】
折り曲げ線に沿って二つ折り可能に形成したメッセージカードであって、該メッセージカードの内側面には、メッセージを記入するメッセージ記入欄を設けてあると共に、前記折り曲げ線に対向する端部の一方に接着剤層を設け、該接着剤層を覆って剥離紙を貼付したメッセージカード。
【請求項２】
前記メッセージカードの外側面には、前記折り曲げ線に対して対称な位置に互いに関連ある図柄を表示した請求項１に記載のメッセージカード。
【請求項３】
前記メッセージカードの外側面には、前記折り曲げ線より右側に左手の甲側の図柄を表示し、前記折り曲げ線より左側に右手の甲側の図柄を表示した請求項２に記載のメッセージカード。
【考案の詳細な説明】
【技術分野】
【０００１】
本考案は、葬儀や法事のときにメッセージを記入して棺等に入れたり、祈願又は報謝のメッセージを記入して神社、仏閣等に奉納したりすることができるメッセージカードに関する。
【背景技術】
【０００２】
従来、葬儀用メッセージカードとしては、故人へのメッセージを記入するメッセージ記入欄と、メッセージの提供者名を記入する提供者名記入欄を有する複数枚のカードを分離可能に綴じてあり、夫々の記入欄に必要事項を記入したカードを分離して、葬儀のときに祭壇に供えたり、棺の中に入れたり、遺族に渡したりすることができるようにしたものが知られている（例えば、特許文献１参照）。
【０００３】
【特許文献１】特開２００３−１７０６８３号公報
【考案の開示】
【考案が解決しようとする課題】
【０００４】
しかし、従来の葬儀用メッセージカードは、メッセージカードに記入したメッセージの内容が不特定多数の者に視認可能なために、故人のみへ宛てたメッセージを記入し難く、又、故人のプライバシーも損なわれる恐れがあるという課題があった。
【０００５】
また、祈願又は報謝のメッセージを記入して神社、仏閣等に奉納する絵馬は、祈願した者の氏名等の個人情報と共に願い事を記入して、不特定多数の者に見られ得る状態で吊り下げられるために、秘密性がなく祈願した者のプライバシーが損なわれるという課題があった。
【０００６】
そこで、本考案は、故人に宛てたメッセージや、神社、仏閣等に奉納する祈願メッセージの秘密性を保持することができるメッセージカードを提供するものである。
【課題を解決するための手段】
【０００７】
本考案は、上記課題を解決するために、折り曲げ線に沿って二つ折り可能に形成したメッセージカードであって、該メッセージカードの内側面には、メッセージを記入するメッセージ記入欄を設けてあると共に、前記折り曲げ線に対向する端部の一方に接着剤層を設け、該接着剤層を覆って剥離紙を貼付したメッセージカードを提供するものである。
【０００８】
また、前記メッセージカードの外側面には、前記折り曲げ線に対して対称な位置に互いに関連ある図柄を表示してある。
【０００９】
また、前記メッセージカードの外側面には、前記折り曲げ線より右側に左手の甲側の図柄を表示し、前記折り曲げ線より左側に右手の甲側の図柄を表示してある。
【考案の効果】
【００１０】
本考案のメッセージカードは、折り曲げ線に沿って二つ折り可能に形成したメッセージカードであって、該メッセージカードの内側面には、メッセージを記入するメッセージ記入欄を設けてあると共に、前記折り曲げ線に対向する端部の一方に接着剤層を設け、該接着剤層を覆って剥離紙を貼付した構成を有することにより、メッセージを記入したメッセージ記入欄を内側にしてメッセージカードを二つ折りにし、折り曲げ線に対向する端部同士を接着剤層で貼り合わせることができ、メッセージ記入欄に記入されたメッセージを隠蔽して秘密性を保持することができる効果がある。
【００１１】
また、前記メッセージカードの外側面には、前記折り曲げ線に対して対称な位置に互いに関連ある図柄を表示してあることにより、メッセージカードを二つ折りにしたときに、互いに関連ある図柄を表側と裏側の同一箇所に表示させることができる効果がある。
【００１２】
また、前記メッセージカードの外側面には、前記折り曲げ線より右側に左手の甲側の図柄を表示し、前記折り曲げ線より左側に右手の甲側の図柄を表示してあることにより、メッセージカードを二つ折りにしたときに、左右の手を合わせた状態を表示することができる効果がある。
【考案を実施するための最良の形態】
【００１３】
本考案の実施の形態を図示する実施例に基づいて説明する。
本考案に係るメッセージカードは、メッセージカード１を折り曲げ線２に沿って二つ折り可能に形成し、該メッセージカード１の内側面１ａには、メッセージを記入するメッセージ記入欄３を設けてあると共に、前記折り曲げ線２に対向する端部の一方に接着剤層５を設け、該接着剤層５を覆って剥離紙６を貼付してある。
【実施例１】
【００１４】
図１乃至図３に示すように、メッセージカード１は、紙製のシートからなり、折り曲げ線２に沿って二つ折り可能に形成してある。実施例において、折り曲げ線２はドットラインで形成してある。また、折り曲げ線２は、ミシン目、ハーフカットライン、シートを圧縮して厚さを薄くした曲げライン等により構成することもできる。なお、メッセージカード１は、絵馬として神社、仏閣等に奉納する場合には、樹脂コーティングした紙製のシート又は合成樹脂シートで形成してあることが好ましい。
【００１５】
図１に示す実施例において、メッセージカード１の内側面１ａの左側には、メッセージを記入するメッセージ記入欄３と、メッセージ記入者の氏名を記入する氏名記入欄４を設けてある。また、メッセージカード１の内側面１ａの右側には、使用目的に応じて、故人を追悼する言葉や絵馬の模様などを表示することも可能である。
【００１６】
図２に示すように、メッセージカード１の内側面１ａには、折り曲げ線２に対向する右側の端部に、縁に沿って接着剤層５を設けてあると共に、接着剤層５を覆って剥離紙６を貼付してある。接着剤層５及び剥離紙６は、メッセージカード１に両面テープを貼り付けて構成することができる。
【００１７】
図３に示すように、メッセージカード１の外側面１ｂには、折り曲げ線２に対して対称な位置に互いに関連ある図柄を表示してある。図示の実施例において、図柄は、折り曲げ線２より右側に表示した左手７の甲側の図柄と、折り曲げ線２より左側に表示した右手８の甲側の図柄とからなる。メッセージカード１は、図４に示すように、折り曲げ線２に沿って二つ折りにすると、外側面１ｂに表示した左右の手が合わさり、合掌した状態を表すことができるように構成してある。
【００１８】
また、図示の実施例において、メッセージカード１の外側面１ｂには、手の甲部に円形状の模様を付してある。この円形状の模様内には、メッセージカード１の使用目的に応じて、「送る手」や「思う手」などの名称を表示することができるようにしてある。
【００１９】
上述のメッセージカード１は、葬儀や法事のときに故人へのメッセージを記入して棺等に入れたり、祈願又は報謝等のメッセージを記入して神社、仏閣等に奉納したりすることができる。メッセージカード１を使用するときには、メッセージ及び記入者の氏名をメッセージ記入欄３、氏名記入欄４に記入し、折り曲げ線２に沿ってメッセージカード１を二つ折りにする。二つ折りにしたメッセージカード１は、剥離紙６を剥がして接着剤層５で対向する端部を張り合わせることにより、内側面１ａに記入されたメッセージと氏名を隠蔽してプライバシーを守ることができるようにしてある。
【図面の簡単な説明】
【００２０】
【図１】本考案メッセージカードの一実施例を示す平面図。
【図２】本考案メッセージカードの一実施例を示す断面図。
【図３】本考案メッセージカードの一実施例を示す斜視図。
【図４】その使用態様を示す斜視図。
【符号の説明】
【００２１】
１  メッセージカード
１ａ  内側面
１ｂ  外側面
２  折り曲げ線
３  メッセージ記入欄
４  氏名記入欄
５  接着剤層
６  剥離紙
７  左手
８  右手
【図１】
0003132998.tif 000003
【図２】
0003132998.tif 000004
【図３】
0003132998.tif 000005
【図４】
0003132998.tif 000006